(57)【要約】      （修正有）【課題】リチウム電池等の環境汚染の恐れのある電池を用いずに、環境汚染の恐れのない浮子等の浮揚体を提供する。【解決手段】浮揚体本体１１と、浮揚体本体１１に設けられると共に、電解質溶液に浸されることによってイオン化傾向を有する金属からなり、何れかが正極となり、他方が負極となるように電気的に絶縁されてなる複数の電極１５，１６を備え、正極と負極との間に負荷を接続し、正極、負極となる電極が電解質溶液に浸されたときに、正極と負極との間に電流を発生し、その電流を負荷に供給するようにした。【選択図】図１
2018174898.tif 000002
【特許請求の範囲】
【請求項１】
浮揚体本体と、
該浮揚体本体に設けられると共に、電解質溶液に浸されるイオン化傾向を有する金属からなり、何れかが正極となり、他方が負極となるように電気的に絶縁されてなる複数の電極を備え、前記正極と前記負極との間に負荷が接続され、
前記正極となる電極が前記電解質溶液に浸されたとき、前記正極と負極との間に電流を発生し、その電流を前記負荷に供給することを特徴とする浮揚体。
【請求項２】
前記請求項１記載の電解質溶液が塩水であることを特徴とする浮揚体。
【請求項３】
前記請求項１記載の複数の電極は、前記浮揚体本体の外表面に設けられていることを特徴とする浮揚体。
【請求項４】
前記請求項３記載の電極のうち負極となる電極は、正極となる電極に対して前記電解質溶液中で液面側に位置するように配置されてなることを特徴とする浮揚体。
【請求項５】
前記請求項３記載の電極のうち正極となる電極は、板状、シート状、薄膜状の何れかによって形成され、また負極となる電極はリング状に形成された亜鉛板、マグネシウム板、アルミニウム板によって形成されている。
【発明の詳細な説明】
【技術分野】
【０００１】  本発明は、ＬＥＤ等の発光素子を有し、夜間の海釣り等に浮きを発光させてアタリを知らせる浮き等の浮揚体に関するものである。
【背景技術】
【０００２】  このように夜間、海釣り等を行う場合、発光ダイオード、リチュウム電池を内蔵した浮きを使用する（例えば、特許文献１参照）。【０００３】  この浮きを図１０を参照しながら以下に説明する。
すなわち、この海釣り用の浮きは、浮き本体１と、電池ソケット２と、２本の被覆リード線３と、複数の発光ダイオード４とを構成部品として含み、前記浮き本体１は、薄肉中空の樹脂からなる回転体で、その下端側に道糸への連結部５を備えた本体下部６と、上方に真っ直ぐ伸びるトップ部７を有した本体上部８とからなり、本体下部６と本体上部８は着脱可能となっている。【０００４】  また、浮き本体１に形成された回転体内部には、電池ソケット２と、被覆リード線３と、発光ダイオード４の他にリチウム電池９とが格納されている。
【先行技術文献】
【０００５】
【特許文献１】特開２０００−４７４１号
【発明の概要】
【発明が解決しようとする課題】
【０００６】  以上述べた従来のものにあって、リチウム電池９を入手しようとした場合、どこの店でも入手できるものではなく、専門店でしか入手出来ないと言う問題点があった。また使用済みのリチウム電池は、廃棄の仕方によっては環境汚染を引き起こす恐れがある。そのため、廃棄に当たっては環境汚染の要因にならないように留意する必要があるという問題点があった。【０００７】  本発明は、このような従来の問題点を解決しようとするものである。すなわち、リチウム電池等の環境汚染の恐れのある電池を用いずに、イオン化傾向の強弱の違いに基づく電池の原理を用いることによって環境汚染の恐れのない浮き等の浮揚体を提供することを目的とする。
【課題を解決するための手段】
【０００８】  そして、本発明は上記目的を達成するためになされたもので、浮揚体本体と、該浮揚体本体に設けられると共に、電解質溶液に浸されることによってイオン化傾向を有する金属からなり、何れかが正極となり、他方が負極となるように電気的に絶縁されてなる複数の電極を備え、前記正極と前記負極との間に負荷が接続され、前記正極、負極となる電極が前記電解質溶液に浸されたとき、前記正極と前記負極との間に電流を発生し、その電流を前記負荷に供給するようにしたものである。【０００９】  また、第２の課題解決手段は、前記請求項１記載の電解質溶液を塩水にしたものである。【００１０】  また、第３の課題解決手段は、前記請求項１記載の電極を前記浮揚体本体の外表面に設けたものである。【００１１】  また、第４の課題解決手段は、前記請求項３記載の電極のうち正極となる電極は、負極となる電極よりも前記電解質溶液に浸され易く配置したものである。【００１２】  また、第５の課題解決手段は、前記請求項４記載の電極のうち正極となる電極は、板状、シート状、薄膜状の何れかに形成されるか、蒸着膜によって形成され、また負極となる電極は亜鉛板、マグネシウム板、アルミニュウム板のうちの何れかによってリング状に形成したものである。【００１３】  前記第１の課題解決手段による作用は次のとおりである。電解質溶液（海釣りの場合は海水）に異なるイオン化傾向を有する金属を浸すということのみで、その金属間に電流を発生させることができる。
また、市販の電池を用いることなく発生した電流で負荷を駆動することができる。またさらに電極間を短絡状態にしたり、絶縁状態にしたりすることによって負荷に流れる電流をスイッチングできる。【００１４】  前記第２の課題解決手段による作用は、電解質溶液として塩水を使用することによって海釣り等での環境に一致させることができる。【００１５】  前記第３の課題解決手段による作用は、電極を浮揚体本体の外表面に設けたことによって電極の保守管理が容易になる。【００１６】  前記第４の課題解決手段による作用は、複数の電極のうち正極となる電極を、負極となる電極を液面外に位置させることによって浮揚体本体の上下運動によって電極間に流れる電流をオン、オフさせることができ、発光素子等を点滅駆動できる。【００１７】  前記第５の課題解決手段による作用は、電極のうち正極となる電極を、板状、シート状、薄膜状の何れかに形成するか、蒸着膜によって形成するか、また負極となる電極を亜鉛板、マグネシウム板、アルミニュウム板のうちの何れかによってリング状に形成するかによって品質の良いものを得ることができる。
【発明の効果】
【００１８】  上述したように本発明の浮揚体は、上下運動、姿勢の変化等によってイオン化傾向の強い電極を、海水、塩水等の電解質溶液に浸せることによって電極を構成する金属を電解質溶液中に溶け出させるようにして負荷に電流を供給することができる。それによって、浮揚体本体の変化を容易に検知でき、発光素子をスイッチング的に駆動できる。
また、環境汚染等を引き起こす恐れのある物質を使用していないので安心して使用できる。
【図面の簡単な説明】
【００１９】
【図１】本発明の実施形態を示す浮揚体（浮き）１１の外観を示す側面図
【図２】図１に示す浮揚体１１に取り付けられるリング状亜鉛電極１５の斜視図
【図３】図１に示す浮揚体１１に取り付けられる上下両端が開口しているボール状銅電極１６の斜視図
【図４】図１に示す浮揚体１１の組み付け説明図
【図５】図１に示す浮揚体１１のＡＢ線断面説明図
【図６】図１に示す浮揚体１１の外側面に取り付けられるリング状亜鉛電極１５とボール状銅電極１６からの出力電圧を変換する電子回路のブロック説明図
【図７】図１に示す浮揚体１１を真下Ｃ方向に見た外観説明図
【図８】図１に示す浮揚体１１を真上Ｄ方向に見た外観説明図
【図９】図１に示す浮揚体１１の作用を説明するための説明図
【図１０】従来例を説明するための断面説明図
【発明を実施するための形態】
【００２０】  以下、本発明の実施の形態を図１〜図９に基づいて説明する。
図において、符号１１は浮き（浮揚体）で、その上部に小径の棒状体１２（図１０のトップ部７に相当する）、下部に錘取付け部１７（図１０の連結部５に相当する）、中央部に大径の断面円形の中空体１４（図１０の本体下部６に相当する）が形成されている。
また、前記中空体１４の外周面の上方側にはリング状亜鉛電極（負電極）１５が係入されるリング状凹溝１５Ａ（図４の符号１５ａ，１５ｂで挟まれたリング状エリア）が設けられ（図４参照）、その凹溝１５Ａに前記リング状亜鉛電極１５が係入、係止される。
なお、前記リング状亜鉛電極１５の上端１５ａに形成された開口は、図２に示されるように下端１５ｂに形成された開口よりも小径に設定されている。また、前記凹溝１５Ａの深さは、前記リング状亜鉛電極１５の厚みとほぼ同一に設定されているように外表面に段差なく設置可能になる。
また図３に示すように下方に向けて徐々に小径となるボール状銅電極（正電極）１６は、前記中空体１４の外表面のリング状エリア１６Ａ（図１の符号１６ａ，１６ｂ間）に接着して設けられている。
なお、図１に示す符号１７は連結部である。また、前記ボール状銅電極１６は上記の如く上下両端に円形状の開口部１６ａ，１６ｂが形成されており、前記上端に形成された円形状の開口部１６ａの穴径の大きさより下端に形成された開口部１６ｂの穴径が小さく設定されている。
その結果、前記中空体１４への前記リング状亜鉛電極１５と前記ボール状銅電極１６との組み付けがスムーズ、かつ確実に行える。
【００２１】  また符号１８は電位差抽出回路２１から出力される電圧、例えば０．７ボルトの低電圧を３．３ボルトまで昇圧するＤＣ−ＤＣ変換回路で、前記中空体１４内の空間部に固定されて内蔵された回路基板１９に搭載され、前記リング状亜鉛電極１５と前記ボール状銅電極１６のそれぞれから出力される電圧を電位差抽出回路２１を介して入力し、最大で３．３ボルトまでの電圧を出力する。
符号２０はＬＥＤ等の発光素子で、前記ＤＣ−ＤＣ変換回路１８の出力、３．３ボルトによって駆動される。
【００２２】  また、上記実施の形態ではリング状亜鉛電極１５、ボール状銅電極１６を金属板で形成したが、シート状、薄膜状、蒸着膜、金属メッキなど必要に応じて選択して使用しても良い。特にボール状銅電極１６は、電解質溶液に溶け出ることがないので厚みを薄くしても何ら支障は生じない。
【００２３】  以下に、上記構成の動作を説明する。
▲１▼海水（電解質溶液）面に波等がない静かな場合（図９参照）
海水面ＳがレベルＨ１（リング状亜鉛電極１５の下端部５ｂに一致するレベル）と海底レベルＨ２の符号Ｍ１の領域にあり、リング状亜鉛電極１５の何れの部分も海水面Ｓに接触していない状態になるので海水によってイオン化が促進されないためにＤＣ−ＤＣ変換回路１８の出力が０ボルトとなり、発光素子２０は点灯しない。
【００２４】  ▲２▼海水（電解質溶液）面に波等がない状態の時に、垂直下方Ｚ方向に引きがあり浮揚体である浮き１１が下方に変位し、リング状亜鉛電極１５の下端部１５ｂが海水面Ｓより下方に下がり、下端部１５ｂが海水に浸った場合（図９参照）
リング状亜鉛電極１５の何れかの部分が海水面Ｓに接触するのでリング状亜鉛電極１５のイオン化が開始され、リング状亜鉛電極１５からボール状銅電極１６に向かって電子が流れると共に、ボール状銅電極１６からリング状亜鉛電極１５に向けて電流が流れる。その結果、リング状亜鉛電極１５とボール状銅電極１６との間に直流電圧３．３ボルトが発生し、電位差抽出回路２１を介してＤＣ−ＤＣ変換回路１８に供給される。そして、発光素子２０に流れ出す電流が大きくなって、点灯の明るさを増大する。
【００２５】  ▲３▼海水（電解質溶液）面が大きな波となり押し寄せて来ることによって、海水面Ｓがリング状亜鉛電極１５の下端部１５ｂのレベルＨ１を超えて上方に上昇した場合（図９参照）
リング状亜鉛電極１５の何れかの部分が海水に接触するのでリング状亜鉛電極１５のイオン化が開始され、リング状亜鉛電極１５とボール状銅電極１６との間に電圧を発生し続け、発光素子２０は発光し続ける。
【００２６】  ▲４▼海水（電解質溶液）面が大きな波となり押し寄せて来て、浮揚体である浮き１１が斜めに傾いた場合
海水面Ｓがリング状亜鉛電極１５の下端部１５ｂの何れかの最初に海水面Ｓに浸った部分のレベルがレベルＨ１を超えて上方に上昇した場合（図９参照）
リング状亜鉛電極１５が斜め姿勢になって徐々に海水面Ｓに接触する面積を増大させる。それによって、海水リング状亜鉛電極１５のイオン化も徐々に促進され、リング状亜鉛電極１５とボール状銅電極１６との間に徐々に電流が上昇される。その結果、発生電力も徐々にアップし、発光素子２０の発光を増大させる。
なお、上記実施の形態では、負電極としてリング状の金属電極に亜鉛電極１５を用いたが、マグネシウム、アルミニウムであっても良いことは言うまでもないことである。
【符号の説明】
【００２７】１１  浮き（浮揚体）      １２  本体上部      １３  本体下部（錘取付け部）
１４  中空体  １５  リング状亜鉛電極（負電極）  １６  ボール状銅電極（正電極）
１７  連結部      １８  ＤＣ−ＤＣ変換回路      １９  回路基板
２０  発光素子（負荷）      ２１  電位差抽出回路
【図１】
2018174898.tif 000003
【図２】
2018174898.tif 000004
【図３】
2018174898.tif 000005
【図４】
2018174898.tif 000006
【図５】
2018174898.tif 000007
【図６】
2018174898.tif 000008
【図７】
2018174898.tif 000009
【図８】
2018174898.tif 000010
【図９】
2018174898.tif 000011
【図１０】
2018174898.tif 000012